【手続補正書】
【提出日】平成18年2月2日(2006.2.2)
【手続補正１】
【補正対象書類名】明細書
【補正対象項目名】特許請求の範囲
【補正方法】変更
【補正の内容】
【特許請求の範囲】
【請求項１】  燃焼室（２５）を有する燃焼器（２００）と、
上記燃焼器（２００）用の燃料供給手段（３０）と、
燃料との混合のために、高温及び高圧の圧縮空気を燃焼器（２００）へ送るための空気供給手段（１０）と、
上記燃焼器（２００）における複数の位置に熱的な希釈物質を送る流体供給手段（４０）と、
上記空気供給手段（１０），燃料供給手段（３０）及び流体供給手段（４０）を制御するためのコントローラ（１００）と、を有しており、
上記燃焼器（２００）は、
上記燃焼室（２５）において、燃料及び酸素を燃焼させ、
気化した熱的な希釈物質，燃焼物、及び、燃料と空気との未反応成分を含むエネルギー流体を生成し、
使用デバイス（５０）に連結され得る排気端（１９６）へ上記エネルギー流体を送るように動作する一方、
上記コントローラ（１００）は、
実質的に全ての燃料及び空気中の酸素の大部分が、上記燃焼プロセスにおいて消費されるように、空気及び燃料の送り量を制御し、
熱的な希釈物質の実質的な熱吸収により、所望の燃焼炎温度，所望の燃焼室（２５）温度のプロファイル、及び、所望の最大凝縮を有する燃焼器（２００）を出るエネルギー流体中の汚染物質を達成すべく、上記燃焼器（２００）へ送られる熱的な希釈物質の量、及び、熱的な希釈物質の送り位置を制御するように動作する、エネルギー変換システム。
【請求項２】  上記燃焼室（２５）が、
第１の燃焼ゾーン（２５０）と、
上記第１の燃焼ゾーン（２５０）の下流側に位置する少なくとも１ゾーンの追加の燃焼ゾーン（２５２）と、
上記燃焼ゾーンの各々に圧縮空気を送るべく個々に接続された別個の供給口（２３６，２３２）を有する空気供給機構と、
上記第１の燃焼ゾーンへ燃料を送るべく接続された燃料噴射手段（２１８）と、を備えており、
上記コントローラ（１００）が、
燃料リッチ混合物の燃焼がその内部で生じるように、上記第１の燃焼ゾーン（２５０）へ利用可能な圧縮空気の一部を送り、
送られた燃料の実質的に化学量論的な燃焼が達成されるように、１ゾーン又はそれ以上の下流側の燃焼ゾーンへ追加の空気を送り込むように動作する、請求項１記載のエネルギー変換システム。
【請求項３】  上記コントローラ（１００）が、利用可能な全ての圧縮空気の約５０％を第１の燃焼ゾーンへ送り込み、利用可能な残りの圧縮空気を１ゾーン又はそれ以上の下流側の燃焼ゾーンへ送り込むように動作する、請求項２記載のエネルギー変換システム。
【請求項４】  上記燃焼室（２５）が、
上記第２の燃焼ゾーン（２５２）の下流側の第３の燃焼ゾーン（２５４）と、
上記第３の燃焼ゾーン（２５４）の下流側の第４の燃焼ゾーン（２５６）と、を備えており、
上記コントローラ（１００）が、
利用可能な全ての圧縮空気の約５０％を上記第１の燃焼ゾーン（２５０）へ、利用可能な全ての圧縮空気の約２５％を上記第２の燃焼ゾーン（２５０）へ、利用可能な全ての圧縮空気の約１２．５％を上記第３の燃焼ゾーン（２５０）へ、また、利用可能な全ての圧縮空気の約１２．５％を上記第４の燃焼ゾーン（２５０）へ送るように動作する、請求項２又は３に記載のエネルギー変換システム。
【請求項５】  上記流体供給手段（４０）が、全ての上記燃焼ゾーンの下流側の複数の位置で熱的な希釈物質を燃焼器（２００）へ噴射する複数の噴射器を有する、請求項２〜４のいずれか一に記載のエネルギー変換システム。
【請求項６】  上記燃焼室（２５）が、更に、上記第２の燃焼ゾーンの下流側に配置される１ゾーン又はそれ以上の燃焼ゾーン（２５４）を有し、
上記コントローラ（１００）が、利用可能な圧縮空気を、上記燃焼ゾーンに対して、最も大きな量が第１の燃焼ゾーン（２５０）に送られ、第２に大きな量が第２の燃焼ゾーンに送られ、残りの量が１ゾーン又はそれ以上のゾーンに送られるべく分配するように動作する、請求項２記載のエネルギー変換システム。
【請求項７】  熱交換器（２０４，２０８）と、
上記熱交換器（２０４，２０８）を上記空気供給手段（１０）に接続する熱交換器（２０４，２０８）の上流側端部に配置されたカプラ（２４０）と、
空気をそれが熱交換器（２０４，２０８）を通過した後に上記燃焼室（２５）へ送るために、上記熱交換器（２０４，２０８）の下流側端部へ接続される空気供給機構と、を更に有している、請求項２〜６のいずれか一に記載のエネルギー変換システム。
【請求項８】  上記燃焼室（２５）が第１の管（２０２）を備えるとともに、
上記熱交換器（２０４，２０８）が、上記第１の管（２０２）と同心に配置され、該第１の管（２０２）を取り囲む第２の管（２０６）を備えており、
上記第１の管（２０２）と第２の管（２０６）との間の空間（２０４）が、その内部で上記圧縮空気が上記カプラ（２４０）から第１及び第２の空気供給機構（２３６，２３２）へ通過する第１の通路を形成する、請求項７記載のエネルギー変換システム。
【請求項９】  上記熱交換器（２０４，２０８）が、更に、上記第１及び第２の管（２０２，２０６）と同心に配置され、該第１及び第２の管（２０２）を取り囲む第３の管（２１０）を備えており、
上記第２の管（２０６）と第３の管（２１０）との間の空間（２０８）が、第２の通路を形成し、
上記第２の通路の上流側端部（２３０）が、上記カプラ（２４０）に接続され、
上記第２の通路の下流側端部が、上記第１の通路の上流側端部に接続され、
上記第１の通路の下流側端部が、上記空気供給機構（２３６，２３２）に接続され、
上記第１及び第２の通路が、圧縮空気が上記カプラ（２４０）から上記空気供給機構（２３６，２３２）へ通過する通路を有している、請求項８記載のエネルギー変換システム。
【請求項１０】  更に、上記燃焼器（２００）に熱的に連結され、上記圧縮空気を燃料との混合に先立って加熱するように動作する熱交換器（６３）を有している、請求項１〜５のいずれか一に記載のエネルギー変換システム。
【請求項１１】  上記流体供給手段（４０）が、熱的な希釈物質を上記燃焼室（２５）への導入に先立って上記圧縮空気へ送るための少なくとも１つの噴射器（２０１）を有している、請求項１〜１０のいずれか一に記載のエネルギー変換システム。
【請求項１２】  上記熱的な希釈物質が、非ポータブルウォータであり、
更に、上記使用デバイス（５０）への送り前に、上記エネルギー流体から、非ポータブルウォータに含まれた無機物質を分離するための手段を有する回収器（８０）を有している、請求項１〜１１のいずれか一に記載のエネルギー変換システム。
【請求項１３】  更に、上記使用デバイス（５０）への送り前に、上記エネルギー流体からポータブルウォータを回収するための凝縮器（６２）を有している、請求項１２記載のエネルギー変換システム。
【請求項１４】  上記流体供給手段（４０）が、上記熱的な希釈物質の一部を霧化し、上記空気供給手段（１０）への入口に入る上記供給空気へ噴射する、請求項１〜１３のいずれか一に記載のエネルギー変換システム。
【請求項１５】  上記第２の噴射機構（２０１）が、上記第１の燃焼ゾーンの入口から下流側の複数の位置で、制御された量の熱的な希釈物質を、上記燃焼器（２００）へ噴射するように動作する、請求項２〜１４のいずれか一に記載のエネルギー変換システム。
【請求項１６】  上記流体供給手段（４０）が、軸方向に離間された複数の位置で、熱的な希釈物質を上記燃焼器（２００）へ送るための手段を有している、請求項１〜１５のいずれか一に記載のエネルギー変換システム。
【請求項１７】  上記流体供給手段（４０）が、周囲で離間された複数の位置で、熱的な希釈物質を上記燃焼器（２００）へ送るための手段を有している、請求項１〜１６のいずれか一に記載のエネルギー変換システム。
【請求項１８】  上記流体供給手段（４０）が、平面内で効率的に位置決めされる離間された複数の位置で、上記熱的な希釈物質を上記燃焼器（２００）へ送るための手段を有している、請求項１〜１７のいずれか一に記載のエネルギー変換システム。
【請求項１９】  上記流体供給手段（４０）が、上記燃焼器（２００）の軸に対して非対称的に配置される離間された複数の位置で、上記熱的な希釈物質を上記燃焼器（２００）へ送るための手段を有している、請求項１〜１８のいずれか一に記載のエネルギー変換システム。
【請求項２０】  上記流体供給手段（４０）が、上記燃焼器（２００）の壁部に対する接線成分を有する角度で、上記熱的な希釈物質を上記燃焼器（２００）へ送るための手段を有している、請求項１〜１９のいずれか一に記載のエネルギー変換システム。
【請求項２１】  上記流体供給手段（４０）が、上記燃焼器（２００）の軸に対する軸方向成分を有する角度で、上記熱的な希釈物質を上記燃焼器（２００）へ送るための手段を有している、請求項１〜２０のいずれか一に記載のエネルギー変換システム。
【請求項２２】  更に、上記燃焼器（２００）の排気端（１９６）に連結される使用デバイス（５０）を有している、請求項１〜２１のいずれか一に記載のエネルギー変換システム。
【請求項２３】  上記使用デバイス（５０）が、海水脱塩，発電及びモバイルデバイスの動作を含む、機械的及び／又は熱的な適用のためのエネルギーを送るように動作する、請求項２２又は１１９に記載のエネルギー変換システム。
【請求項２４】  更に、回収サブシステムを有しており、上記使用デバイス（５０）を出るエネルギー流体が冷却され、冷却されたエネルギー流体における熱的な希釈物質の少なくとも一部が凝縮され、また、凝縮された熱的な希釈物質の少なくとも一部が再利用のため回収される、請求項２２，２３又は１１９に記載のエネルギー変換システム。
【請求項２５】  更に、凝縮された熱的な希釈物質の回収後に残っている上記エネルギー流体を少なくとも大気圧へ戻すように再圧縮するための手段と、
再圧縮されたエネルギー流体を排出するための手段と、を有している、請求項２４記載のエネルギー変換システム。
【請求項２６】  上記エネルギー流体が、燃焼の間に形成される熱的な希釈物質を有し、
使用後のエネルギー流体から回収された熱的な希釈物質の量が、上記燃焼器（２００）の排気端（１９６）の上流側に送られる熱的な希釈物質の量に少なくとも等しい、請求項２４又は２５に記載のエネルギー変換システム。
【請求項２７】  更に、回収された上記熱的な希釈物質の少なくとも一部を浄化するための手段と、
浄化された上記熱的な希釈物質を再循環させるための手段と、を有している、請求項２４〜２６のいずれか一に記載のエネルギー変換システム。
【請求項２８】  上記コントローラ（１００）が、上記燃焼器（２００）を出るエネルギー流体中のＮＯｘが３ｐｐｍより低いように、空気，燃料及び熱的な希釈物質の送りを制御するように動作する、請求項１〜２７のいずれか一に記載のエネルギー変換システム。
【請求項２９】  上記コントローラ（１００）が、上記燃焼器（２００）を出るエネルギー流体中のＣＯが３ｐｐｍより低いように、上記燃焼器（２００）への空気，燃料及び熱的な希釈物質の送りを制御するように動作する、請求項１〜２８のいずれか一に記載のエネルギー変換システム。
【請求項３０】  上記燃焼器（２００）への燃料，圧縮空気及び熱的な希釈物質の送りが、上記使用デバイス（５０）を出るエネルギー流体が８ｐｐｍより低いＮＯｘを含むように制御される、請求項１〜２７又は２９のいずれか一に記載のエネルギー変換システム。
【請求項３１】  上記燃焼器（２００）への燃料，圧縮空気及び熱的な希釈物質の送りが、上記使用デバイス（５０）を出るエネルギー流体が８ｐｐｍより低いＣＯを含むように制御される、請求項１〜２７又は３０のいずれか一に記載のエネルギー変換システム。
【請求項３２】  上記空気供給手段（１０）が、大気の約４〜約１００倍の間の圧力で、空気を上記燃焼器（２００）へ送るように動作する、請求項１〜３１のいずれか一に記載のエネルギー変換システム。
【請求項３３】  上記燃焼器（２００）へ送られる圧縮空気の総量が、利用可能な空気中の酸素の少なくとも約９０％が燃焼の間に消費されるように選択される、請求項１〜３２のいずれか一に記載のエネルギー変換システム。
【請求項３４】  上記燃焼器（２００）への上記圧縮空気，燃料及び熱的な希釈物質の送りが、上記燃焼器（２００）を出るエネルギー流体の質量流が、上記空気供給手段（１０）への入口を通ずる空気の質量流の１２０％を越えるように制御される、請求項１〜３３のいずれか一に記載のエネルギー変換システム。
【請求項３５】  上記空燃比が、化学量論的な比の１００％〜１２３％の範囲内で制御される、請求項１〜３２又は３４のいずれか一に記載のエネルギー変換システム。
【請求項３６】  上記燃焼器（２００）へ送られる圧縮空気及び燃料の量が、所望の空燃比を確保すべく選択される、請求項１〜３５のいずれか一に記載のエネルギー変換システム。
【請求項３７】  上記燃焼器（２００）に送られる燃料に対する熱的な希釈物質の比が、約２対１〜約１６対１の質量比の範囲内で制御される、請求項１〜３６のいずれか一に記載のエネルギー変換システム。
【請求項３８】  上記コントローラ（１００）は、上記エネルギー流体についての所望の燃焼器（２００）の排気端温度を達成すべく、上記燃焼器（２００）への熱的な希釈物質の送りを制御するように動作する、請求項１〜３７のいずれか一に記載のエネルギー変換システム。
【請求項３９】  上記コントローラ（１００）は、上記燃焼器（２００）におけるエネルギー変換のレートとは独立して、熱的な希釈物質の送りを制御するように動作する、請求項１〜３８のいずれか一に記載のエネルギー変換システム。
【請求項４０】  上記コントローラ（１００）は、上記第１の燃焼ゾーンの下流側での上記エネルギー流体温度を所望の最大値を超えて確保すべく、上記熱的な希釈物質の送りを制御するように動作し、それにより、少なくとも１つの可燃性成分の所望の酸化レベルを達成し、排気の少なくとも１つの酸化できる成分を、所望の濃度より低くなるように軽減させる、請求項１〜３９のいずれか一に記載のエネルギー変換システム。
【請求項４１】  上記コントローラ（１００）は、エンタルピー流量とは独立して、上記燃焼器（２００）を出るエネルギー流体の温度を制御するように動作する、請求項１〜４０のいずれか一に記載のエネルギー変換システム。
【請求項４２】  上記コントローラ（１００）は、上記燃焼室（２５）の下流側での燃焼器（２００）内のエネルギー流体の温度を、摂氏約１４２６度（華氏約２６００度）より低くすべく制約するように動作する、請求項１〜４１のいずれか一に記載のエネルギー変換システム。
【請求項４３】  上記コントローラ（１００）は、上記燃焼室（２５）の下流側での燃焼器（２００）内のエネルギー流体の温度を、摂氏約３７１度（華氏約７００度）より高くすべく制約するように動作する、請求項１〜４２のいずれか一に記載のエネルギー変換システム。
【請求項４４】  上記コントローラ（１００）は、上記燃焼器（２００）の外壁の温度を所望の値より低くなるように制約すべく、熱的な希釈物質の送りを制御するように動作する、請求項１〜４３のいずれか一に記載のエネルギー変換システム。
【請求項４５】  上記コントローラ（１００）は、上記燃焼器（２００）に対する燃料，空気及び熱的な希釈物質の送りを独立して制御するように動作する、請求項１〜４４のいずれか一に記載のエネルギー変換システム。
【請求項４６】  上記コントローラ（１００）が、空燃比とは独立して、上記燃焼器（２００）の炎の温度、及び、上記燃焼器（２００）を出るエネルギー流体の温度を制御するように動作する、請求項１〜４４のいずれか一に記載のエネルギー変換システム。
【請求項４７】  上記コントローラ（１００）が、空燃比，上記燃焼器（２００）の炎の温度，該燃焼器（２００）の温度プロファイル、及び、上記燃焼器（２００）を出るエネルギー流体の温度の各々を独立して制御するように動作する、請求項１〜４４のいずれか一に記載のエネルギー変換システム。
【請求項４８】  上記コントローラ（１００）が、空燃比とは独立して、上記燃焼器（２００）を出るエネルギー流体の温度を制御するように動作する、請求項１〜４４のいずれか一に記載のエネルギー変換システム。
【請求項４９】  上記コントローラ（１００）が、空燃比とは独立して、上記燃焼器（２００）の炎の温度及び温度プロファイルを制御するように動作する、請求項１〜４４のいずれか一に記載のエネルギー変換システム。
【請求項５０】  上記コントローラ（１００）が、上記エネルギー流体の温度を監視するように動作するコンピュータ化されたフィードバックシステムを有し、また、温度フィードバックに基づき、上記空気，燃料及び熱的な希釈物質の供給速度を制御するように動作する、請求項１〜４９のいずれか一に記載のエネルギー変換システム。
【請求項５１】  上記コントローラ（１００）が、各位置に送られる熱的な希釈物質の量とは独立して、熱的な希釈物質が上記燃焼器（２００）へ送られる位置を制御するように動作する、請求項１〜５０のいずれか一に記載のエネルギー変換システム。
【請求項５２】  上記コントローラ（１００）が、送られる熱的な希釈物質の量とは独立して、上記燃焼器（２００）へ送られる熱的な希釈物質の温度を制御するように動作する、請求項１〜５１のいずれか一に記載のエネルギー変換システム。
【請求項５３】  上記熱的な希釈物質が水である、請求項１〜１１，１４〜５２のいずれか一に記載のエネルギー変換システム。
【請求項５４】  上記燃焼器（２００）が、上記燃焼室（２５）を囲み、該燃焼室（２５）に熱的に連結される部分を有しており、
上記燃焼器（２００）へ送られる圧縮空気が、上記囲み部分に流れ、上記燃焼室（２５）の壁部を冷却する、請求項１〜５３のいずれか一に記載のエネルギー変換システム。
【請求項５５】  上記囲み部分が、上記燃焼室（２５）まわりの圧縮室を形成する壁部を有し、それにより、上記燃焼室（２５）の壁部が、実質的に差圧に晒されない、請求項５４記載のエネルギー変換システム。
【請求項５６】  上記圧縮室の壁部の温度が、上記圧縮空気の温度より低い、請求項５５記載のエネルギー変換システム。
【請求項５７】  燃焼室（２５）を有する燃焼器（２００）と、
上記燃焼器（２００）へ燃料を送るための燃料供給手段（３０）と、
上記燃焼器（２００）へ空気を送るための空気供給手段（１０）と、
上記燃焼器（２００）へ熱的な希釈物質を送るための流体供給手段（４０）と、
上記空気供給手段（１０），燃料供給手段（３０）及び流体供給手段（４０）を制御するためのコントローラ（１００）と、を有するエネルギー変換システムを動作させる方法であって、
周囲空気を高温及び高圧の圧縮空気へ圧縮し、
上記燃焼器（２００）へ制御された量の圧縮空気を送り、
上記燃焼器（２００）へ制御された量の燃料を送り、
上記燃焼器（２００）内で燃料及び空気を混合し、
上記燃焼室（２５）における燃料及び圧縮空気からの酸素を燃焼させ、
送られた燃料の実質的に全て及び送られた空気中の酸素の大部分が、燃焼工程において消費されるように、空気及び燃料の送り量を制御すべく、上記コントローラ（１００）を動作させ、
気化した熱的な希釈物質，燃焼物，燃料及び空気の未反応成分を含むエネルギー流体が生成されるように、上記燃焼器（２００）における複数の位置へ所望量の熱的な希釈物質を送るべく、上記コントローラ（１００）を動作させ、
実質的に上記熱的な希釈物質による熱吸収を通じて、所望の燃焼炎温度，所望の燃焼温度プロファイル、及び、所望の最大濃度を有する上記燃焼器（２００）の排気端を出るエネルギー流体中の汚染物質を得るべく、上記燃焼器（２００）へ送られる熱的な希釈物質の量、及び、熱的な希釈物質の送り位置を選択し、
上記燃焼器（２００）の排気端（１９６）を通じて、使用デバイス（５０）へエネルギー流体を送る、ステップを有している方法。
【請求項５８】  上記コントローラ（１００）を動作させるステップが、
上記燃焼室（２５）の上流側端部近傍の第１の燃焼ゾーン（２５０）へ、第１の量の圧縮空気及び燃料を送り、
上記第１の燃焼ゾーン（２５０）の下流側に配置される１ゾーン又はそれ以上の追加の燃焼ゾーン（２５２）へ第２の量の圧縮空気を送ることを有しており、
上記第１の量の圧縮空気が、化学量論的な燃焼に必要とされる量より少なく、上記第１の燃焼ゾーンにおける圧縮空気及び燃料の混合物が燃料リッチであり、
上記第２の量の圧縮空気が、上記燃焼器（２００）へ送られる燃料の実質的に完全な燃焼を達成するのに十分である、請求項５７記載の方法。
【請求項５９】  利用可能な圧縮空気の約５０％が上記第１の燃焼ゾーン（２５０）へ送られ、それにより、該第１の燃焼ゾーン（２５０）にて燃料リッチの炎が生成される、請求項５８記載の方法。
【請求項６０】  上記コントローラ（１００）を動作させるステップが、上記燃焼室（２５）の上流側端部近傍で、第１の燃焼ゾーン（２５０）へ圧縮空気の約５０％を送り、
上記第１の燃焼ゾーン（２５０）内で燃料リッチの炎が生成されるように、上記第１の燃焼ゾーン（２５０）において、燃料を圧縮空気と混合させ、
上記第１の燃焼ゾーン（２５０）から下流側に配置された第２の燃焼ゾーン（２５２）へ利用可能な圧縮空気の総量の約２５％を送り、
上記第２の燃焼ゾーン（２５２）から下流側に配置された第３の燃焼ゾーン（２５４）へ利用可能な圧縮空気の総量の約１２．５％を送り、
上記第３の燃焼ゾーン（２５４）から下流側に配置された第４の燃焼ゾーン（２５６）へ圧縮空気の残りを送ることを有している、請求項５７記載の方法。
【請求項６１】  上記圧縮空気の最も大きな量が、上記燃料とともに、上記第１の燃焼ゾーンへ送られ、
上記圧縮空気の第２に大きな量が上記第２の燃焼ゾーンにおける燃焼室（２５）へ加えられ、
上記圧縮空気の残りの量が、上記第２の燃焼ゾーンの下流側に配置された１ゾーン又はそれ以上の燃焼ゾーンの間に割り当てられた上記燃焼室（２５）に加えられる、請求項５８記載の方法。
【請求項６２】  更に、上記空気及び燃料の混合に先立って、制御された量の上記熱的な希釈物質を上記圧縮空気と混合させるステップを有している、請求項５７〜６１のいずれか一に記載の方法。
【請求項６３】  更に、上記熱的な希釈物質の一部を霧化し、
圧縮に先立って、上記霧化された熱的な希釈物質を空気と混合させるステップを有している、請求項５７〜６２のいずれか一に記載の方法。
【請求項６４】  更に、上記燃料との混合に先立って、上記燃焼室（２５）から熱を移動させるべく、圧縮空気を熱交換器（６３）に通過させるステップを有している、請求項５７〜６３のいずれか一に記載の方法。
【請求項６５】  上記熱的な希釈物質の送りが、上記使用デバイス（５０）へ送られるエネルギー流体が３ｐｐｍのＮＯｘを含むように制御される、請求項５７〜６４のいずれか一に記載の方法。
【請求項６６】  上記熱的な希釈物質の送りが、上記使用デバイス（５０）へ送られるエネルギー流体が３ｐｐｍのＣＯを含むように制御される、請求項５７〜６５のいずれか一に記載の方法。
【請求項６７】  上記燃焼器（２００）への燃料，圧縮空気及び熱的な希釈物質の送りが、上記使用デバイス（５０）へ送られるエネルギー流体が８ｐｐｍのＮＯｘを含むように制御される、請求項５７〜６４又は６６のいずれか一に記載の方法。
【請求項６８】  上記燃焼器（２００）への燃料，圧縮空気及び熱的な希釈物質の送りが、上記使用デバイス（５０）へ送られるエネルギー流体が８ｐｐｍのＣＯを含むように制御される、請求項５７〜６４又は６７のいずれか一に記載の方法。
【請求項６９】  上記コントローラ（１００）を動作させるステップが、上記燃焼室（２５）における複数の位置へ、制御された量の熱的な希釈物質を送ることを有している、請求項５７〜６８のいずれか一に記載の方法。
【請求項７０】  上記燃焼室（２５）へ送られる圧縮空気の総量が、送られる空気中の酸素の少なくとも約９０％が燃料との反応に際して消費されるように選択される、請求項５７〜６９のいずれか一に記載の方法。
【請求項７１】  上記熱的な希釈物質の送りが、上記燃焼器（２００）の排気端（１９６）でのエネルギー流体の所望の温度を達成すべく制御される、請求項５７〜７０のいずれか一に記載の方法。
【請求項７２】  上記熱的な希釈物質の送りが、上記燃焼器（２００）におけるエネルギー変換のレートとは独立して、上記燃焼器（２００）の排気端（１９６）でのエネルギー流体の所望の温度を達成すべく制御される、請求項５７〜７０のいずれか一に記載の方法。
【請求項７３】  上記コントローラ（１００）を動作させるステップが、
上記燃焼室（２５）の上流側端部での第１の燃焼ゾーンにおける燃焼器（２００）へ送られる燃料の一部を燃焼させ、
上記第１の燃焼ゾーンの下流側にある１ゾーン又は複数の追加の燃焼ゾーンにおける燃焼器（２００）に送られた残りの燃料の実質的に全てを燃焼させ、
上記第１の燃焼ゾーンの下流側でのエネルギー流体の温度を所望の最大値を高く確保すべく、熱的な希釈物質の送りを制御するステップを有している、請求項５７又は６２〜７２のいずれか一に記載の方法。
【請求項７４】  上記燃焼器（２００）を出るエネルギー流体の温度が、上記エネルギー流体のエンタルピー流量とは独立して制御される、請求項５７〜７３のいずれか一に記載の方法。
【請求項７５】  上記コントローラ（１００）を動作させるステップが、
熱的な希釈物質が上記燃焼器（２００）に送られる位置、及び、各位置に送られる熱的な希釈物質の量を、上記燃焼室（２５）の下流側にある燃焼器（２００）内のエネルギー流体の温度が、摂氏約１４２７度（華氏２６００度）より低くなるように制約されるべく制御することを有している、請求項５７〜７４のいずれか一に記載の方法。
【請求項７６】  熱的な希釈物質が上記燃焼器（２００）に送られる位置、及び、各位置に送られる熱的な希釈物質の量が、上記燃焼室（２５）の下流側にある燃焼器（２００）内のエネルギー流体の温度が、摂氏約３７１度（華氏７００度）より高くなるように制約される、請求項５７〜７５のいずれか一に記載の方法。
【請求項７７】  上記コントローラ（１００）を動作させるステップが、熱的な希釈物質が上記燃焼器（２００）に送られる位置、及び、各位置に送られる熱的な希釈物質の量を、上記燃焼室（２５）の下流側にある燃焼器（２００）内のエネルギー流体の温度が、摂氏約１４２７度（華氏２６００度）より低くなるように制約されるべく制御することを有している、請求項５７〜７６のいずれか一に記載の方法。
【請求項７８】  上記流体の送りが、上記燃焼器（２００）内の流体の温度が、上記燃焼器（２００）に送られる燃料を所望の程度酸化して二酸化炭素にすべく、十分な滞留時間の間、摂氏約９３２度（華氏１８００度）より高く確保されるように制御される、請求項５７〜７７のいずれか一に記載の方法。
【請求項７９】  上記コントローラ（１００）を動作させるステップが、上記燃焼器（２００）内のエネルギー流体の温度が、摂氏約１４２７度（華氏２６００度）より低く制約されるように、熱的な希釈物質が上記燃焼器（２００）へ送られる位置、及び、各位置に送られる熱的な希釈物質の量を制御することを有している、請求項５７〜７４，７７又は７８のいずれか一に記載の方法。
【請求項８０】  熱的な希釈物質が上記燃焼器（２００）へ送られる位置、及び、各位置に送られる熱的な希釈物質の量が、上記燃焼室（２５）の下流側でのエネルギー流体の温度が、摂氏約９８２度（華氏１８００度）と摂氏約１２６０度（華氏２３００度）との間に制約されるように制御される、請求項５７〜７４，７７〜７９のいずれか一に記載の方法。
【請求項８１】  上記流体の送りが、上記燃焼室（２５）の下流側でのエネルギー流体の温度が、摂氏約１４２６度（華氏２６００度）より低く確保されるように制御される、請求項５７〜７４，７７，７８又は８０のいずれか一に記載の方法。
【請求項８２】  上記流体の送りが、上記燃焼室（２５）の下流側でのエネルギー流体の温度が、摂氏約３７１度（華氏７００度）より高く確保されるように制御される、請求項５７〜７４，７７，７９又は８１のいずれか一に記載の方法。
【請求項８３】  上記流体の送りが、上記燃焼器（２００）におけるエネルギー流体の温度が、摂氏約１４２６度（華氏２６００度）に若しくはそれより低く確保されるように制御される、請求項５７〜７４，７７，７８又は８２のいずれか一に記載の方法。
【請求項８４】  上記流体の送りが、上記燃焼室（２５）の下流側でのエネルギー流体の温度が、摂氏約９８２度（華氏１８００度）と摂氏約１２６０度（華氏２３００度）との間に制約されるように制御される、請求項５７〜７４又は８３のいずれか一に記載の方法。
【請求項８５】  上記熱的な希釈物質が、軸方向に離間された複数の位置で、上記燃焼器（２００）へ送られる、請求項５７〜８４のいずれか一に記載の方法。
【請求項８６】  上記熱的な希釈物質が、周囲で離間された複数の位置で、上記燃焼器（２００）へ送られる、請求項５７〜８５のいずれか一に記載の方法。
【請求項８７】  上記熱的な希釈物質が、平面内で効率的に位置決めされる離間された複数の位置で、上記燃焼器（２００）へ送られる、請求項５７〜８６のいずれか一に記載の方法。
【請求項８８】  上記熱的な希釈物質が、上記燃焼器（２００）の軸に対して非対称的に配置される離間された複数の位置で、上記燃焼器（２００）へ送られる、請求項５７〜８７のいずれか一に記載の方法。
【請求項８９】  上記熱的な希釈物質が、上記燃焼器（２００）の壁部に対する接線成分を有する角度で、上記燃焼器（２００）へ送られる、請求項５７〜８８のいずれか一に記載の方法。
【請求項９０】  上記熱的な希釈物質が、上記燃焼器（２００）の軸に対する軸方向成分を有する角度で、上記燃焼器（２００）へ送られる、請求項５７〜８９のいずれか一に記載の方法。
【請求項９１】  更に、内側の燃焼器（２００）の壁部にわたる差圧が、上記燃焼器（２００）に入る圧縮空気の圧力の３．５％より低くなるように、上記燃焼器（２００）の内壁まわりの高圧を確保するステップを有している、請求項５７〜９０のいずれか一に記載の方法。
【請求項９２】  熱的な希釈物質の送りが、上記燃焼器（２００）の外壁の温度が所望の値より低くなるように制御される、請求項５７〜９１のいずれか一に記載の方法。
【請求項９３】  上記燃焼器（２００）への上記圧縮空気，燃料及び熱的な希釈物質の送りが、上記燃焼器（２００）を出るエネルギー流体の質量流が、送られる圧縮空気の質量流の１２０％を越えるように制御される、請求項５７〜９２のいずれか一に記載の方法。
【請求項９４】  上記空燃比が、化学量論的な比の１００％〜１２３％の範囲内で制御される、請求項５７〜９３のいずれか一に記載の方法。
【請求項９５】  上記燃焼器（２００）への燃料，空気及び熱的な希釈物質の送りが、それぞれ独立して制御される、請求項５７〜９４のいずれか一に記載の方法。
【請求項９６】  上記燃焼器（２００）の温度、及び／又は、上記燃焼器（２００）を出るエネルギー流体の温度が、空燃比とは独立して制御される、請求項５７〜９５のいずれか一に記載の方法。
【請求項９７】  上記空燃比，燃焼器（２００）の温度，燃焼器（２００）の温度プロファイル、及び、上記燃焼器（２００）を出るエネルギー流体の温度が、それぞれ独立して制御される、請求項５７〜９６のいずれか一に記載の方法。
【請求項９８】  更に、上記燃焼器（２００）への圧縮空気の送りに先立って、上記燃焼器（２００）を出る高温ガスとの熱交換により、圧縮空気を熱するステップを有している、請求項５７〜９７のいずれか一に記載の方法。
【請求項９９】  熱的な希釈物質が上記燃焼器（２００）へ送られる位置、及び、各位置で送られる熱的な希釈物質の量が独立して制御される、請求項５７〜９８のいずれか一に記載の方法。
【請求項１００】  熱的な希釈物質の温度が、熱的な希釈物質が上記燃焼器（２００）へ送られる位置及び各位置で送られる熱的な希釈物質の量とは独立して制御される、請求項５７〜９９のいずれか一に記載の方法。
【請求項１０１】  上記エネルギー流体を使用デバイス（５０）へ送るステップが、油田又は蒸留塔若しくは動作用の蒸気を利用する他の装置へ、エネルギー流体を噴射することを有している、請求項５７〜１００のいずれか一に記載の方法。
【請求項１０２】  上記エネルギー流体が、海水脱塩，発電及びモバイルデバイスの動作を含む、機械的及び／又は熱的な適用のためのエネルギーを生成する使用デバイス（５０）へ送られる、請求項５７〜１００のいずれか一に記載の方法。
【請求項１０３】  上記燃料が、炭化水素又はアルコールを含む、請求項５７〜１０２のいずれか一に記載の方法。
【請求項１０４】  上記燃料が、ディーゼル燃料＃２，加熱オイル，良質のヘッドオイル，プロパン，天然ガス，ガソリン及びエタノールの１つ又はそれ以上を含む、請求項５７〜１０３のいずれか一に記載の方法。
【請求項１０５】  更に、上記使用デバイス（５０）を出るエネルギー流体を冷却し、
冷却された上記エネルギー流体中の熱的な希釈物質の少なくとも一部を凝縮し、
凝縮された上記熱的な希釈物質の少なくとも一部を回収するステップを有している、請求項５７〜１０４のいずれか一に記載の方法。
【請求項１０６】  更に、上記使用デバイス（５０）を出るエネルギー流体を冷却し、
冷却された上記エネルギー流体中の熱的な希釈物質の少なくとも一部を凝縮し、
凝縮された上記熱的な希釈物質の少なくとも一部を抽出し、
上記熱的な希釈物質の抽出後に、冷却された上記エネルギー流体を少なくとも大気圧まで再圧縮し、
再圧縮された上記エネルギー流体を排出し、
凝縮された上記熱的な希釈物質の少なくとも一部を回収するステップを有している、請求項５７〜１０４のいずれか一に記載の方法。
【請求項１０７】  上記エネルギー流体が、燃焼の間に形成される熱的な希釈物質を有し、
使用後の上記エネルギー流体から回収された熱的な希釈物質の量が、上記燃焼器（２００）の排気端（１９６）の上流側に送られる熱的な希釈物質の量に少なくとも等しい、請求項１０５又は１０６に記載の方法。
【請求項１０８】  更に、回収された上記熱的な希釈物質の少なくとも一部を浄化し、再循環させるステップを有している、請求項１０５〜１０７のいずれか一に記載の方法。
【請求項１０９】  上記燃焼器（２００）へ送られる空気が、大気の約４〜約１００倍の間の圧力にある、請求項５７〜１０８のいずれか一に記載の方法。
【請求項１１０】  上記燃焼器（２００）への燃料及び熱的な希釈物質の送りが、燃料に対する熱的な希釈物質の比が、約２対１〜約１６対１の質量比の範囲内にあるように制御される、請求項５７〜１０９のいずれか一に記載の方法。
【請求項１１１】  上記熱的な希釈物質が水である、請求項５７〜１１０のいずれか一に記載の方法。
【請求項１１２】  上記空燃比，燃焼温度及び燃焼器（２００）の温度のプロファイルが独立して制御される、請求項５７〜１１１のいずれか一に記載の方法。
【請求項１１３】  上記燃焼室（２５）へ送られる圧縮空気及び燃料の量が、所望の空燃比を確保すべく選択される、請求項５７〜１１２のいずれか一に記載の方法。
【請求項１１４】  上記燃焼器（２００）への燃料，圧縮空気及び熱的な希釈物質の送り、及び、上記燃焼器（２００）におけるエネルギー流体の滞留時間が、上記使用デバイス（５０）を出るエネルギー流体中のＮＯｘ，ＣＯ，微粒子、及び、未燃焼の燃料を含む環境汚染物質についての所望のレベルより低くなるまでの凝縮を達成すべく制御される、請求項５７〜１１３のいずれか一に記載の方法。
【請求項１１５】  更に、ピーク燃焼温度の位置の下流側での領域内で、該領域における摂氏約１０９３度（華氏２０００度）より高い高温壁の燃焼を達成すべく、上記燃焼器（２００）内の内壁温度を制御するステップを有している、請求項５７〜１１４のいずれか一に記載の方法。
【請求項１１６】  上記エネルギー流体の温度が、上記熱的な希釈物質の一部を燃焼の領域内へ送ることにより、部分的に制御される、請求項５７〜１１５のいずれか一に記載の方法。
【請求項１１７】  更に、上記燃料が燃焼室（２５）へ送られる前に、熱的な希釈物質を燃料と混合させるステップを有している、請求項５７〜１１６のいずれか一に記載の方法。
【請求項１１８】  上記使用デバイス（５０）が、そこへ送られる上記エネルギー流体からワークを抽出するように動作し、また、更に、上記第１の使用デバイス（５０）の少なくとも５０％のワーク出力を達成するための十分な量で、第２の使用デバイス（５０）へエネルギー流体を送るステップを有している、請求項５７〜１１７のいずれか一に記載の方法。
【請求項１１９】  上記使用デバイス（５０）が、油田，蒸留塔、若しくは、動作用の蒸気を利用する他の装置である、請求項２２記載のエネルギー変換システム。
【請求項１２０】  上記コントローラ（１００）が、上記燃焼器（２００）内の流体の温度を摂氏約１４２６度（華氏２６００度）より低く制約するように動作する、請求項１〜５６又は１１９のいずれか一に記載のエネルギー変換システム。
【請求項１２１】  上記コントローラ（１００）が、上記燃焼室（２５）の下流側でのエネルギー流体の温度を、摂氏約９８２度（華氏１８００度）と摂氏約１２６０度（華氏２３００度）との間に確保するように動作する、請求項１〜５６，１１９又は１２０のいずれか一に記載のエネルギー変換システム。
【請求項１２２】  上記コントローラ（１００）が、７５８ｐｐｍ又はそれより低い上記燃焼器（２００）を出るエネルギー流体の未燃焼燃料及び一酸化炭素を達成するために、十分な滞留時間の間、上記燃焼器（２００）内の流体温度を所望の燃焼器（２００）の排気端温度より高く確保するように動作する、請求項１〜５６又は１１９〜１２１のいずれか一に記載のエネルギー変換システム。
【請求項１２３】  上記流体の送りが、上記燃焼器（２００）内の流体の温度が、上記燃焼器（２００）に送られる燃料を所望の程度酸化して二酸化炭素にすべく、十分な滞留時間の間、摂氏約９３２度（華氏１８００度）より高く確保されるように制御される、請求項１〜５６又は１１９〜１２１のいずれか一に記載のエネルギー変換システム。
【請求項１２４】  上記コントローラ（１００）が、上記熱的な希釈物質を燃焼の領域へ送ることにより、上記エネルギー流体の温度を部分的に制御するように動作する、請求項１〜５６又は１１９〜１２３のいずれか一に記載のエネルギー変換システム。
【請求項１２５】  上記コントローラ（１００）が、燃料が上記燃焼室（２５）へ送られる前に、熱的な希釈物質を燃料と混合させるべく、上記流体供給手段（４０）及び燃料供給手段（３０）を制御するように動作する、請求項１〜５６又は１１９〜１２４のいずれか一に記載のエネルギー変換システム。
【請求項１２６】  上記コントローラ（１００）が、上記燃焼器（２００）への燃料，圧縮空気及び熱的な希釈物質の送り、及び、上記燃焼器（２００）におけるエネルギー流体の滞留時間を、上記使用デバイス（５０）を出るエネルギー流体中のＮＯｘ，ＣＯ，微粒子、及び、未燃焼の燃料を含む環境汚染物質についての所望のレベルより低くなるまでの凝縮を達成すべく制御するように動作する、請求項１〜５６又は１１９〜１２５のいずれか一に記載のエネルギー変換システム。
【請求項１２７】  上記使用デバイス（５０）が、送られてきたエネルギー流体からワークを抽出するように動作し、また、更に、上記第１の使用デバイス（５０）の少なくとも５０％のワーク出力を生じる能力を有する燃料器の出力へ接続される第２の使用デバイス（５０）を有している、請求項２２〜２７又は１１９のいずれか一に記載のエネルギー変換システム。
【請求項１２８】  上記コントローラ（１００）が、熱的な希釈物質が上記燃焼器（２００）に送られる位置、及び、各位置に送られる熱的な希釈物質の量を、上記燃焼室（２５）の下流側にある燃焼器（２００）内のエネルギー流体の温度が、摂氏約１４２７度（華氏２６００度）より低くなるように制約されるべく制御するように動作する、請求項１〜５６又は１１９〜１２７のいずれか一に記載のエネルギー変換システム。
【請求項１２９】  熱的な希釈物質が上記燃焼器（２００）に送られる位置、及び、各位置に送られる熱的な希釈物質の量が、上記燃焼室（２５）の下流側にある燃焼器（２００）内のエネルギー流体の温度が、摂氏約３７１度（華氏７００度）より高くなるように制約されるべく制御される、請求項１〜５６又は１１９〜１２８のいずれか一に記載のエネルギー変換システム。
【請求項１３０】  上記コントローラ（１００）が、熱的な希釈物質が上記燃焼器（２００）に送られる位置、及び、各位置に送られる熱的な希釈物質の量を、上記燃焼器（２００）内のエネルギー流体の温度が、摂氏約１４２７度（華氏２６００度）より低くなるように制約されるべく制御するように動作する、請求項１〜５６又は１１９〜１２７のいずれか一に記載のエネルギー変換システム。
【請求項１３１】  上記コントローラ（１００）が、熱的な希釈物質が上記燃焼器（２００）へ送られる位置、及び、各位置に送られる熱的な希釈物質の量を、上記燃焼室（２５）の下流側でのエネルギー流体の温度が、摂氏約９８２度（華氏１８００度）と摂氏約１２６０度（華氏２３００度）との間に制約されるべく制御するように動作する、請求項１〜５６又は１１９〜１２７若しくは１３０のいずれか一に記載のエネルギー変換システム。